(57)【要約】【課題】球払出装置と画像表示装置との保守点検の容易化を図る。【解決手段】画像表示器６７を有する画像表示装置５６が遊技盤２１０の遊技領域２１２と対応し、球払出装置４６におけるタンク構造体４７および球払出機構４８が画像表示装置５６よりも上部に配置され、球払出装置４６における縦樋４９が画像表示装置５６よりも左側に配置され、球払出装置４６が可動枠５の裏面に固定されたまま、画像表示装置５６が表示側ヒンジ７０および枠側ヒンジ８５からなるヒンジを中心として可動枠５から後側横方向に片開きすることができ、片開きした画像表示装置５６を可動枠５に対して前側横方向に閉じることができる。【選択図】図１
2006051129.tif 000002
【特許請求の範囲】
【請求項１】
可動枠の遊技盤を前側から格納する遊技主体収納構造体の裏面には、面状表示器からなる画像表示器を有する画像表示装置が遊技主体収納構造体の中央開口部と対応して設けられ、球払出装置におけるタンク構造体および球払出機構が画像表示装置よりも上部に位置して設けられ、球払出装置における縦樋が画像表示装置よりも左側に位置して設けられたことを特徴とするパチンコ機。
【請求項２】
画像表示器における表示画面の横幅が左右方向に向けられ、画像表示器における表示画面の縦幅が上下方向に向けられた横置きの格好で、画像表示器が遊技主体収納構造体の裏面に設けられたことを特徴とする請求項１記載のパチンコ機。
【請求項３】
画像表示装置が遊技主体収納構造体の裏面に対しヒンジで後側横方向に片開き可能に取り付けられたことを特徴とする請求項１記載のパチンコ機。
【請求項４】
縦樋における左右方向の横幅が球を一列で上から下に誘導する細い寸法に形成されたことを特徴とする請求項１記載のパチンコ機。
【発明の詳細な説明】
【技術分野】
【０００１】
本発明は、遊技機枠の裏部に球払出装置と画像表示装置とを保守点検容易に設けたパチンコ機に関する。
【背景技術】
【０００２】
パチンコ機には、遊技機枠の裏部に映写装置を搭載した構造が知られている。映写装置は、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。この映写装置に代えて、２０インチの液晶表示器を遊技機枠の裏部に搭載したものが実用化されている。しかしながら、表示画面の横幅を左右方向に向け、表示画面の縦を上下方向に向けるというように、２０インチの液晶表示器が横置きの格好であり、パチンコ機に必要な球払出装置や制御装置が上記横置きされた２０インチの液晶表示器の裏面に取り付けられた構造になっている。このため、遊技機枠に取り付けた液晶表示器の保守点検を行う場合、球払出装置や制御装置を液晶表示器から取り外さなければならず、液晶表示器の保守点検に多大な労力と時間とを要するという欠点がある。
【特許文献１】特開２００３−２２０１９４号公報
【発明の開示】
【発明が解決しようとする課題】
【０００３】
発明が解決しようとする問題点は、液晶表示器の裏面に球払出装置や制御装置を背負っていることから、液晶表示器の保守点検が面倒であるという点である。
【課題を解決するための手段】
【０００４】
本発明に係るパチンコ機は、可動枠の遊技盤を前側から格納する遊技主体収納構造体の裏面には、面状表示器からなる画像表示器を有する画像表示装置が遊技主体収納構造体の中央開口部と対応して設けられ、球払出装置におけるタンク構造体および球払出機構が画像表示装置よりも上部に位置して設けられ、球払出装置における縦樋が画像表示装置よりも左側に位置して設けられたことを最も主要な特徴とする。本発明に係るパチンコ機にあっては、画像表示器における表示画面の横幅が左右方向に向けられ、画像表示器における表示画面の縦幅が上下方向に向けられた横置きの格好で、画像表示器が遊技主体収納構造体の裏面に設けられたり、画像表示装置が遊技主体収納構造体の裏面に対しヒンジで後側横方向に片開き可能に取り付けられたり、縦樋における左右方向の横幅が球を一列で上から下に誘導する細い寸法に形成されたりしてもよい。
【発明の効果】
【０００５】
本発明に係るパチンコ機は、遊技主体収納構造体の裏面において、面状表示器からなる画像表示器を有する画像表示装置が遊技主体収納構造体の中央開口部と対応し、タンク構造体および球払出機構が画像表示装置よりも上部に位置し、縦樋が画像表示装置よりも左側に位置しているので、画像表示装置を保守点検する場合、作業者が、タンク構造体や球払出機構および縦樋からなる球払出装置を可動枠から取り外すことなく、画像表示装置を遊技主体収納構造体から取り外し、画像表示装置の保守点検作業を容易に行うことができるという利点がある。画像表示器における表示画面の横幅が左右方向に向けられ、画像表示器における表示画面の縦幅が上下方向に向けられた横置きの格好で、画像表示器が遊技主体収納構造体の裏面に設けられれば、画像表示装置が遊技盤の遊技領域における中央部の広範囲に対応するので、画像表示装置で表示される電気的に表示形態の変えられる画像を広範囲で遊技者に見せることができるという利点がある。画像表示装置が遊技主体収納構造体の裏面に対しヒンジで後側横方向に片開き可能に取り付けられれば、画像表示装置を保守点検する場合、画像表示装置を遊技主体収納構造体から取り外すことなくヒンジを中心として遊技主体収納構造体から後側横方向に片開きすることができるという利点がある。縦樋における左右方向の横幅が球を一列で上から下に誘導する細い寸法に形成されれば、縦樋を遊技盤の球発射通路と対応して設けられるという利点がある。
【発明を実施するための最良の形態】
【０００６】
図１−図８は、発明を実施するための最良の形態である。図１のａ図は、球払出装置４６と画像表示装置５６と遊技盤２１０との配置関係の正面を示す。図１のｂ図は、図１のａ図に示すＡ−Ａ線に相当する切断線で切断した遊技機枠１と縦樋４９と画像表示装置５６と遊技盤２１０との配置関係の断面を示す。図２は、パネル枠９と球皿構造体１０および画像表示装置５６を開いた遊技機枠１と遊技盤２１０との前側からの外観を示す。図３は、画像表示装置５６を開いた可動枠５の裏側からの外観を示す。図４は、可動枠５と画像表示装置５６と見切り構造体７６とを分解した外観を示す。図５は、画像表示装置５６と見切り構造体７６との取り付けられた可動枠５の正面を示す。図６のａ図は、固定具９０を分解した外観を示す。図６のｂ図は、固定具９０を被取付部材１０５に取り付けた断面を示す。図７のａ図は、固定具９０を相手側部材１０８に挿入した断面を示す。図７のｂ図は、固定具９０を相手側部材１０８に取り付けた断面を示す。図８は、３種類の遊技盤２１０；２５０；２７０の前側からの外観を示す。本明細書において、「前」、「後」、「裏」、「左」、「右」、「上」、「下」の方向は、図２の状態に遊技機枠１および遊技盤２１０を置いて前側から見た場合に特定される方向である。「後」と「裏」とは同じ方向である。
【０００７】
図１のａ図を参照し、遊技盤２１０と球払出装置４６および画像表示装置５６を前から見た場合の配置関係について説明する。遊技盤２１０の前面における内ガイドレール２１６と外ガイドレール２１７とで囲まれた内側が球の飛び交う遊技領域２１２であり、内ガイドレール２１６の左側部と外ガイドレール２１７の左側部との間の隙間が発射通路２１５である。球払出装置４６は、タンク構造体４７、球払出機構４８、縦樋４９を備える。タンク構造体４７および球払出機構４８が遊技盤２１０の上部と左右に分かれて対応し、縦樋４９が球払出機構４８の真下において遊技盤２１０の発射通路２１５と対応する。画像表示装置５６がタンク構造体４７と球払出機構４８との真下でかつ縦樋４９の右側と対応する。画像表示装置５６の画像表示器６７は、電気的に表示形態の変えられる画像を表示画面６８に表示する液晶表示器からなる面状表示器により構成される。表示画面６８は、横幅と縦幅の寸法比が４：３に構成された１７インチの大きさである。表示画面６８の横幅が遊技盤２１０の左右方向に向けられ、表示画面６８の縦幅が遊技盤２１０の上下方向に向けられた横置きの格好で、表示画面６８が遊技盤２１０の遊技領域２１２と前後方向に対向する。表示画面６８の１７インチとは、遊技領域２１２の左右方向における最大横幅をＬ１とし、表示画面６８の横幅をＬ２とした場合、表示画面６８の横幅Ｌ２が遊技領域２１２の最大横幅Ｌ１とほぼ同一寸法で対応する目安であって、１７インチちょうどでなくてもよい。つまり、表示画面６８の１７インチは、表示画面６８で表示された画像が遊技領域２１２の最大横幅Ｌ１の部分でも遊技盤２１０の前側から視認し得る範囲であり、かつ、縦樋４９が画像表示器６７の左側に位置して遊技盤２１０の発射通路２１５と対応して図１のｂ図の遊技主体収納構造体８の裏面に取り付け得る大きさを意味するサイズである。
【０００８】
図１のｂ図を参照し、遊技盤２１０と縦樋４９および画像表示器６７を上から見た場合の配置関係について説明する。遊技盤２１０が遊技主体収納構造体８の遊技主体収納室２６に前側から格納されると、遊技盤２１０の裏面におけるセット板または集合樋と呼ばれる球案内体２３４が遊技主体収納構造体８の中央開口部２７に配置される。そして、遊技盤２１０が遊技主体収納室２６に装着された後、パネル枠９が閉じられると、遊技盤２１０の内ガイドレール２１６と外ガイドレール２１７とセンター飾りと遊技釘および入賞部品などの前側部品がパネル枠９の光透過性を有する無色の素通しガラスのようなガラスにより形成された前面パネル１３で覆われ、発射通路２１５および遊技領域２１２を通るパチンコ球と呼ばれる球が前面パネル１３で前面パネル１３よりも前側に飛び出さないようになる。その状態において、人がパネル枠９の前側から遊技盤２１０を見た場合、パネル枠９の窓１２および前面パネル１３を通して上記遊技盤２１０の前側部品や球を見ることができる。球案内体２３４は、遊技盤２１０の遊技領域２１２から入賞部品に取り込まれて遊技盤２１０の裏側に排出された球を下方に誘導するための裏側部品である。遊技盤２１０の前側部品および裏側部品は、遊技部品と総称される。
【０００９】
遊技盤２１０における遊技領域２１２の存在する意匠盤面と前面パネル１３との間に形成される空間の寸法Ｄ２は、１個の球の直径より大きいが、２個の球を相互に接触させて前後方向に直列に並べた寸法より小さい、寸法に設定されている。図１のｂ図に示す、遊技盤２１０における内ガイドレール２１６、外ガイドレール２１７、センター飾り２２６、遊技釘２３１などの前側部品と前面パネル１３との間に形成される空間の寸法Ｄ３は、１個の球の直径よりも小さい寸法に設定されている。
【００１０】
図１において、画像表示器６７を有する画像表示装置５６が遊技盤２１０の遊技領域２１２と対応し、球払出装置４６におけるタンク構造体４７および球払出機構４８が画像表示装置５６よりも上部に配置され、球払出装置４６における縦樋４９が画像表示装置５６よりも左側に配置されているので、球払出装置４６が可動枠５の裏面に固定されたまま、画像表示装置５６が表示側ヒンジ７０および枠側ヒンジ８５からなるヒンジを中心として可動枠５から後側横方向に片開きすることができ、片開きした画像表示装置５６を可動枠５に対して前側横方向に閉じることができる。よって、画像表示装置５６を保守点検する場合、作業者が、球払出装置４６を可動枠５から取り外すことなく、画像表示装置５６を後側に開き、画像表示装置５６の保守点検を行った後、画像表示装置５６を閉じることができるので、画像表示装置５６の保守点検作業を容易に行うことができるという利点がある。
【００１１】
縦樋４９は、遊技主体収納構造体８の裏面に取り付けられる。そして、遊技主体収納構造体８および発射通路２１５が光遮蔽性を有する合成樹脂のような材料より形成されたことから、遊技盤２１０が遊技主体収納室２６に装着され、パネル枠９が閉じられた状態において、人がパネル枠９の前側から遊技盤２１０を見ても縦樋４９は見えない。画像表示装置５６は、遊技主体収納構造体８よりも裏側に配置され、遊技主体収納構造体８に表示側ヒンジ７０および枠側ヒンジ８５からなるヒンジで後側横方向に片開き可能に取り付けられる。画像表示装置５６では、画像表示器６７における表示画面６８の前側に、見切り構造体７６が設けられる。見切り構造体７６は、光遮蔽性を有する合成樹脂のような材料より前後方向に貫通する角形開口部７７を囲む筒状に形成される。よって、例えば、遊技盤２１０の遊技領域２１２が遊技盤２１０の光透過性を有する合成樹脂のような材料より形成された場合、遊技盤２１０が遊技主体収納室２６に装着され、パネル枠９が閉じられ、画像表示器６７の表示画面６８に画像が表示された状態において、人が、パネル枠９の前側から遊技盤２１０を見ると、遊技盤２１０の光透過性を有する合成樹脂のような材料より形成された部分および見切り構造体７６の角形開口部７７を経由して、画像表示器６７の表示画面６８に表示された画像を見ることができる。
【００１２】
図２を参照し、パチンコ機における遊技機枠１の前側の構造について説明する。遊技機枠１は、遊技店の島と呼ばれる図外の遊技機設置構造体に取り付けるための外枠と呼ばれるような金属、木材、合成樹脂のいずれかの材料により構成された固定枠２を備える。固定枠２は、前後方向に開放された縦長な長方形の空間を囲む額縁形状である。固定枠２の下部前面に設けられた幕板部３には、図外の低音用のスピーカーの低音を幕板部３の裏側から前側に放出する放音孔部４が、左右に設けられる。放音孔部４の裏面には、低音用のスピーカーが、個別に取り付けられる。固定枠２には、前枠または中枠と呼ばれるような可動枠５が、左側の金属製のヒンジ６で前側横方向に片開き可能にかつ着脱可能（交換可能）に取り付けられる。よって、固定枠２が木材、合成樹脂のいずれかの材料により構成された場合、金属製のヒンジ６が固定枠２に止ねじで固定される。固定枠２が金属により構成される場合、ヒンジ６と固定枠２とを別々に形成し、ヒンジ６を固定枠２に止ねじで固定してもよいが、固定枠２を成形型で製造する場合に、ヒンジ６のヒンジピンまたはヒンジ孔のような構成部材を支持するためのヒンジブラケットを上記成形型による固定枠２の形成により固定枠２と一体に構成することができる。
【００１３】
可動枠５は、前後方向に開放された縦長な長方形の空間を囲む額縁形状の電気絶縁材である光遮断性合成樹脂からなる可動枠本体７と、可動枠本体７から内部に延設された電気絶縁材である光遮断性合成樹脂からなる遊技主体収納構造体８とを備える。可動枠本体７および遊技主体収納構造体８は、成形型を用いて単一物として形成される。可動枠本体７には、パネル枠９および球皿構造体１０が、左側に設けられるヒンジ１１で前側横方向に片開き可能に取り付けられる。パネル枠９は、前後方向に開放された窓１２を囲む額縁形状である。パネル枠９の裏面には、前面パネル１３が、窓１２を塞ぐ格好で取り付けられる。パネル枠９の裏面上部には、図外の中・高音用のスピーカーが、左右に取り付けられる。このスピーカーの設けられるパネル枠９の部分には、中・高音用のスピーカーの中・高音をパネル枠９の裏側から前側に放出する図外の放音孔部が、設けられる。
【００１４】
可動枠本体７の右側部には、施錠装置１５とロック機構１６；１７；１８が設けられる。可動枠５が、閉じられた場合、ロック機構１６によって、固定枠２に、開閉不能に支持される。パネル枠９が、閉じられた場合、ロック機構１７によって、可動枠本体７に、開閉不能に支持される。球皿構造体１０が、閉じられた場合、ロック機構１８によって、可動枠本体７に、開閉不能に支持される。可動枠５やパネル枠９および球皿構造体１０が、閉じられ、ロック機構１６；１７；１８で開閉不能に支持された状態において、遊技店の店員が、図外のキープレート（鍵）を遊技機枠１の前側から施錠装置１５の鍵穴１９に挿入し、当該キープレートを例えば右側に９０度回転操作すると、固定枠２と可動枠５とのロック機構１６による支持形態が解除される。この支持形態の解除後に、店員が、可動枠５を前側に引くことによって、可動枠５は、ヒンジ６を中心として前側に片開きされる。
【００１５】
上記施錠装置１５の鍵穴１９に挿入されたキープレートが、人によって例えば左側に９０度回転操作されると、可動枠５とパネル枠９とのロック機構１７による支持形態が解除される。この支持形態の解除後に、店員が、パネル枠９を前側に引くことによって、パネル枠９は、ヒンジ１１を中心として前側に片開きされる。このように、パネル枠９が、前側に開かれた状態において、店員が、可動枠５の前面のロック解除操作体２０を操作すると、可動枠５と球皿構造体１０とのロック機構１８による支持形態が解除される。この支持形態の解除後に、店員が、球皿構造体１０を前側に引くことによって、球皿構造体１０は、ヒンジ１１を中心として前側に片開きされる。球皿構造体１０の前面には、球受皿部２２と発射操作機構２３とを備える。球受皿部２２は、遊技に使用する球を受ける上方に開放された形態である。球皿構造体１０の裏面には、球払出装置４６から排出された球を球受皿部２２に受け入れる球取入口２４と、球受皿部２２から発射機構４０に球を供給する球供給口２５とを備える。
【００１６】
遊技主体収納構造体８は、前側に開放された遊技主体収納室２６、遊技主体収納室２６の後壁に形成された前後方向に貫通する中央開口部２７、中央開口部２７の後縁部から内部に突出する覆部２８、覆部２８で前後に貫通するように囲まれた画像透視開口部２９を備える。遊技主体収納室２６の左側部には、遊技盤２１０を裏側から前側に押圧する板ばねにより構成された遊技主体押圧部３１と、遊技主体押圧部３１で前側に押された遊技盤２１０を前側から受け止める遊技主体受部３２とを備える。遊技主体収納室２６の右側部には、遊技主体ロック部材３３を備える。遊技主体ロック部材３３は、遊技主体収納構造体８から前側に突出する台座の中心にロック操作部３４を回転可能に備える。ロック操作部３４は、台座から前側に突出した操作軸の端部に固定された横長な形態である。
【００１７】
遊技主体収納室２６の下縁部は、遊技盤２１０の下部を搭載する左右方向に平坦な面としての遊技主体棚３５を構成する。遊技主体棚３５には、切欠部３６が、遊技機枠１に取り付けられる遊技盤２１０の球案内体２３４における球を下方に排出する排出口の真下と対応する位置に、遊技主体棚３５の裏側から前側に窪む形態に設けられる。切欠部３６には、球機外排出樋３７の突片３８が嵌め込まれる。球機外排出樋３７は、球案内体２３４から下方に排出された球を可動枠５から図外の遊技機設置構造体における球捕集機構に向けて排出する通路を遊技主体棚３５の裏側に形成する。遊技主体棚３５の前縁から下方に延設された前壁３９の前面には、発射機構４０、発射レール４１、ファール球取入口部４２、前横樋４３を備える。
【００１８】
発射機構４０は、電力供給と遮断とを交互に受けることによって、球受皿部２２から発射レール４１に供給された１個の球を遊技盤２１０の遊技領域２１２に向けて発射する。発射レール４１は、球皿構造体１０の球供給口２５から供給された１個の球を受け取り、この受け取った球が発射機構４０で発射されると、この発射された球を、遊技盤２１０における発射通路２１５の入口に誘導する。ファール球取入口部４２は、遊技盤２１０の発射通路２１５から落下する球を取り込む。前横樋４３は、可動枠５の裏部に取り付けられた球払出装置４６から払い出された球とファール球取入口部４２から排出された球とを、遊技機枠１の裏側から排出される球として、遊技機枠１の前側の球皿構造体１０に排出するための球取入口２４に誘導するとともに当該球に帯電した静電気を除去する通路を形成する。画像表示装置５６の裏面には、主制御装置６２、複合制御装置６３、表示駆動回路装置６４が取り付けられる。主制御装置６２が下部に位置し、複合制御装置６３が主制御装置６２よりも上部に位置し、表示駆動回路装置６４が主制御装置６２および複合制御装置６３よりも側部に位置する。
【００１９】
図３を参照し、可動枠５の裏側の構造について説明する。可動枠５の裏部、具体的には、遊技主体収納構造体８の裏面には、球払出装置４６、画像表示装置５６、電源装置５７、発射払出制御装置５８、外部中継端子装置５９；６０が設けられる。球払出装置４６は、タンク構造体４７、球払出機構４８、縦樋４９を備える。タンク構造体４７および球払出機構４８は、遊技主体収納構造体８における中央開口部２７よりも上部の位置で左右に並べられ、遊技主体収納構造体８の裏面に取り付けられる。タンク構造体４７は、遊技機設置構造体の球補給機構から供給された球を貯蔵する上方に開口した球貯蔵室５０、球貯蔵室５０に貯蔵された球を球払出機構４８の球払出動作に伴い球貯蔵室５０から球払出機構４８の球入口に誘導する払出球通路部５１を備える。球払出機構４８は、球払出機構４８における筐体の内部にスプロケットのような払出体５２と図外の払出球検出器とを備え、上記筐体の外部に払出体５２を回転駆動するステップモータのような図外のモータを備え、タンク構造体４７から球払出機構４８に球が供給されている状態において、払出体５２がモータで一方向に回転駆動されると、払出体５２が球を１個ずつ分離しつつ賞球または貸球として払い出し、払出球検出器が払出体５２から払い出された球を電気的に検出して払出球検出信号を主制御装置６２および発射払出制御装置５８に出力する。
【００２０】
縦樋４９は、遊技主体収納構造体８における中央開口部２７よりも左部の位置で中央開口部２７の左縁に沿って縦に配置され、遊技主体収納構造体８の裏面に取り付けられる。縦樋４９の内部に設けられた球通路５３は、払出球検出器を通過して球払出機構４８から下部に排出された球を下部の満タン検出装置５４に排出する通路であって、縦樋４９を後から見た場合、球を一列で上から下に流し、縦樋４９を左右方向の横から見た場合、球を一列で前後に蛇行しつつ上から下に流す形態である。つまり、縦樋４９における左右方向の横幅は、球を一列で上から下に誘導する細い寸法になっている。満タン検出装置５４は、縦樋４９の真下でかつ遊技主体収納構造体８における中央開口部２７よりも下部の位置で遊技主体収納構造体８の裏面に取り付けられる。満タン検出装置５４の出口は、前横樋４３に接続される。よって、球払出装置４６から払い出された球は、満タン検出装置５４および前横樋４３を経由して図２に示す球皿構造体１０の球受皿部２２に払い出される。
【００２１】
満タン検出装置５４は満タン検出装置５４における筐体の内部に図外の満タン検出機構を備える。満タン検出機構は、図２に示す球受皿部２２から前横樋４３および満タン検出機構まで球が満杯となると、球払出機構４８による払出動作を停止するために、満タン検出機構における図外の満タン検出器が満杯となった球でオン動作して電気的な満杯検出信号を主制御装置６２に出力し、満杯検出信号を受信した主制御装置６２は球払出停止信号を発射払出制御装置５８に出力し、発射払出制御装置５８が球払出機構４８のモータの駆動を停止する。これによって、球払出機構４８による払出動作が停止する。
【００２２】
画像表示装置５６は、遊技主体収納構造体８の裏側に表示側ヒンジ７０および枠側ヒンジ８５からなるヒンジで後側横方向に片開き可能に取り付けられる。電源装置５７は、遊技機設置構造体に設けられる島電源装置から供給される２４ボルトの交流電源をパチンコ機に使用する例えば５ボルト、１２ボルト、２４ボルトなどの電圧の直流電源に変換して出力するとともに２４ボルトの交流電源もそのまま出力する機能を備え、遊技主体収納構造体８の裏側の右側に位置し、図２に示す前壁３９の裏面に取り付けられる。発射払出制御装置５８は、電源装置５７を裏側から覆うように、前壁３９の裏面に取り付けられる。外部中継端子装置５９は、パチンコ機の横に並べられて遊技機設置構造体に設けられるカードサンドと呼ばれる球貸機の制御装置や発射払出制御装置５８からの配線を接続するための複数のコネクタを備え、遊技主体収納構造体８の裏側の左側に位置し、前壁３９の裏面に取り付けられる。外部中継端子装置６０は、パチンコ店の営業を管理するホールコンピュータや主制御装置６２からの配線を接続するための複数のコネクタを備え、遊技主体収納構造体８の裏側の上部に位置し、球払出装置４６に取り付けられる。
【００２３】
図４を参照し、画像表示装置５６の構造について説明する。画像表示装置５６は、前側に四角形に開口した光遮断性合成樹脂からなる筐体６６の内部に図外の画像制御装置と画像表示器６７とを格納し、画像表示器６７の表示画面６８を筐体６６の開口の方向に向け、図外の画像制御装置と画像表示器６７とを筐体６６にタッピングスクリューのような図外の止ねじで固定した構造である。画像表示器６７が液晶表示器の場合、バックライトや導光部材および拡散部材などのような画像表示器６７の表示画面６８を全体的に照明するバックライト機構部材が、画像表示器６７に含まれる。表示画面６８の周囲には鉄のような強磁性材からなる表示器フレーム６９を備える。画像表示器６７よりも前側に突出する筐体６６の右側部には、金属製の表示側ヒンジ７０が設けられる。
【００２４】
表示側ヒンジ７０は筐体６６に図外のタッピングスクリューのような止ねじで固定されたヒンジブラケットから下方に向けて突出するヒンジピンを備える。表示側ヒンジ７０のヒンジピンは、筐体６６の右側部よりも右方向の外側に位置する。画像表示器６７よりも前側に突出する筐体６６の上部および下部には、固定具取付部７１を個別に備える。筐体６６の上部に設けられる固定具取付部７１は、筐体６６の左右方向の中央に位置し、筐体６６の上部から上方に突出する。筐体６６の下部に設けられる固定具取付部７１は、筐体６６の左端部に位置し、筐体６６の左端部から下方に突出する。固定具取付部７１には固定具７２が設けられる。画像表示器６７よりも前側に突出する筐体６６の下部には、見切り構造体７６を固定するための見切り取付部７３が設けられる。筐体６６の右上部には、受止部７４が、表示側ヒンジ７０の真上に位置し、窪みとして設けられる。筐体６６と固定具取付部７１と見切り取付部７３および受止部７４は、光遮断性合成樹脂により一体に形成された構造である。
【００２５】
見切り構造体７６は、前後方向に貫通する角形開口部７７を囲む角筒部７８、角筒部７８の下部左右に設けられた側部覆部７９、角筒部７８の下部中央に設けられた中央覆部８０、側部覆部７９と中央覆部８０との間で角筒部７８の下部から下方に突出した固定具取付部８１のそれぞれが、光遮断性合成樹脂により一体に形成された構造である。左側に位置する側部覆部７９は、前方と下方および左方に開放した形状である。右側に位置する側部覆部７９は、前方と下方および右方に開放した形状である。中央覆部８０は、前方および下方に開放した形状である。角筒部７８の前面における左右上部には、永久磁石８２が固定される。固定具取付部８１には、固定具８３が設けられる。角形開口部７７は、画像表示器６７における表示器フレーム６９の内周縁で囲まれる開口と同じ大きさと形とを有する。
【００２６】
そして、見切り構造体７６の角筒部７８が画像表示器６７の筐体６６の前側から内部に挿入され、永久磁石８２が画像表示器６７の表示器フレーム６９に磁力で装着され、固定具８３が人によって見切り取付部７３に押し込まれると、見切り構造体７６が画像表示装置５６に取り付けられる。このように見切り構造体７６が画像表示装置５６に取り付けられ、人が、見切り構造体７６の前側から画像表示器６７を見た場合、見切り構造体７６における側部覆部７９と中央覆部８０とで塞がれた角形開口部７７を通して、表示画面６８を見ることができる。永久磁石８２および固定具８３が、見切り構造体７６を画像表示装置５６に取り付けるための部材を構成する。
【００２７】
遊技主体収納構造体８における中央開口部２７よりも右部の裏面には、金属製の枠側ヒンジ８５が設けられる。枠側ヒンジ８５は、遊技主体収納構造体８に図外のタッピングスクリューのような止ねじで固定されたヒンジブラケットに上下に向けて貫通するヒンジ孔を備える。遊技主体収納構造体８における中央開口部２７よりも上部および左部には、画像表示取付部８６が個別に設けられる。遊技主体収納構造体８の上部に設けられる画像表示取付部８６は、中央開口部２７に対する左右方向の中央に位置する。遊技主体収納構造体８の下部に設けられる画像表示取付部８６は、中央開口部２７に対する左下隅部に位置する。遊技主体収納構造体８の裏面には、閉じた画像表示装置５６の上方への移動を規制するストッパ８７が、枠側ヒンジ８５の真上に位置し、遊技主体収納構造体８の裏面から裏側に突出し、設けられる。
【００２８】
そして、見切り構造体７６の取り付けられた画像表示装置５６における表示側ヒンジ７０のヒンジピンが枠側ヒンジ８５のヒンジ孔に上方から嵌め込まれることによって、画像表示装置５６が遊技主体収納構造体８の裏側に取り付けられる（画像表示装置５６が表示側ヒンジ７０および枠側ヒンジ８５で遊技主体収納構造体８に取り付けられて裏側に片開きされた形態は、図３参照）。図４において、その後、画像表示装置５６の表示画面６８が遊技主体収納構造体８の画像透視開口部２９の方向に向くように、画像表示装置５６が閉じられるに伴い、見切り構造体７６における画像表示装置５６の筐体６６から前側に突出した角筒部７８や側部覆部７９および中央覆部８０の前部が画像透視開口部２９の内部に取り込まれ、筐体６６の受止部７４がストッパ８７の真下に配置され、固定具７２が画像表示取付部８６に装着されることによって、画像表示装置５６が遊技主体収納構造体８に固定される（画像表示装置５６が遊技主体収納構造体８に固定され、可動枠５を前から見た形態は、図５参照）。
【００２９】
再び、図４において、画像表示装置５６が遊技主体収納構造体８に固定された状態において、固定具７２が画像表示取付部８６から引き抜かれても、受止部７４がストッパ８７の真下に配置される限り、画像表示装置５６が人によって上方に持ち上げられた場合でも、受止部７４とストッパ８７とが互いに衝突し、表示側ヒンジ７０のヒンジピンが枠側ヒンジ８５のヒンジ孔から上方に抜けることがなく、表示側ヒンジ７０と枠側ヒンジ８５とによる画像表示装置５６の遊技主体収納構造体８に対する開閉可能な支持形態は維持される。
【００３０】
受止部７４がストッパ８７の真下に配置される範囲は、例えば、閉じられていた画像表示装置５６が後側に片開きされ、見切り構造体７６が画像透視開口部２９から裏側に抜け出るまでの範囲に設定される。このように設定されることによって、画像表示装置５６が後側に片開きされ、見切り構造体７６が画像透視開口部２９から裏側に抜け出ていない状態において、人が、画像表示装置５６を上方に持ち上げても、受止部７４とストッパ８７とが互いに衝突するので、見切り構造体７６が画像透視開口部２９を囲む遊技主体収納構造体８の上部に衝突せず、見切り構造体７６が画像表示装置５６から脱落するような不都合を防止する。そして、見切り構造体７６が画像透視開口部２９から裏側に抜け出た以上に、画像表示装置５６が後側に片開きされると、受止部７４がストッパ８７の真下から裏側に移動し、人が画像表示装置５６を上方に持ち上げることによって、表示側ヒンジ７０のヒンジピンが枠側ヒンジ８５のヒンジ孔から上方に抜け出て、画像表示装置５６が遊技主体収納構造体８から取り外される。
【００３１】
図６のａ図を参照し、図４に示した固定具７２；８３に相当する固定具９０の構造について説明する。固定具９０は、市販品であって、係合具９１と操作具９２とを備える。係合具９１および操作具９２は、互いに別々に形成される。係合具９１は、前後方向に貫通する中心孔９３を有する円筒本体９４の一端部に受部９５を備え、円筒本体９４の他端部に掛止部９６を備える。受部９５は円筒本体９４の一端部より軸心方向の一方の外側に開口する皿状である。受部９５と掛止部９６との間における円筒本体９４の外周面は、受部９５の外径と掛止部９６の外径との双方よりも細い、くびれ部９７として形成される。掛止部９６は、割溝９８によって、周方向に独立した複数の片持ち梁のような弾性片として形成される。割溝９８は、掛止部９６の他端部とくびれ部９７との間を、軸心方向と直径方向とに切り欠かれる。
【００３２】
掛止部９６を構成する各弾性片の中心孔９３を囲む内面には、突起９９が、軸心方向に向けて突出する。操作具９２は、棒本体１００の一端部に鍔１０１とくびれ部１０２と摘み１０３とを備え、棒本体１００の他端部に係合溝１０４を備える。棒本体１００は、受部９５の方向から中心孔９３に挿入されるとともに、中心孔９３に挿入された場合に突起９９を中心孔９３の径方向外側に押して掛止部９６を押し広げる、太さである。鍔１０１は、棒本体１００の外径よりも大きな外径であって、受部９５における周壁で囲まれた内部に取り込まれる大きさである。くびれ部１０２は、鍔１０１から同軸状に突出し、鍔１０１と摘み１０３との双方よりも細い。摘み１０３は、摘み１０３から同軸状に突出し、くびれ部１０２と鍔１０１との双方よりも太い円盤形状である。
【００３３】
図６のｂ図を参照し、固定具９０が被取付部材１０５に取り付けられた構造について説明する。被取付部材１０５は、図４に示す筐体６６の固定具取付部７１や見切り構造体７６の固定具取付部８１に相当する。被取付部材１０５には取付孔１０６が形成される。そして、係合具９１のくびれ部９７が、被取付部材１０５の取付孔１０６に嵌め込まれることによって、受部９５と掛止部９６とが、取付孔１０６の周囲における被取付部材１０５を挟む格好となり、係合具９１が、被取付部材１０５に取り付けられ、掛止部９６が被取付部材１０５の表面１０７より突出する。そして、操作具９２の棒本体１００が、係合具９１の受部９５の方向から中心孔９３に挿入されることによって、係合溝１０４が、突起９９に嵌め込まれた格好となり、操作具９２が、係合具９１に取り付けられる。これによって、固定具９０が被取付部材１０５に取り付けられる。
【００３４】
図７のａ図を参照し、被取付部材１０５に固定具９０が相手側部材１０８に取り付けられる構造について説明する。相手側部材１０８は、図４に示す筐体６６の見切り取付部７３や遊技主体収納構造体８の画像表示取付部８６に相当する。相手側部材１０８には相手側部材１０８の表面１０９に開口した筒状の取付孔１１０が形成される。そして、被取付部材１０５に取り付けられた固定具９０の被取付部材１０５より裏側に突出した先端部としての係合具９１における掛止部９６が、相手側部材１０８における取付孔１１０の内部に挿入され、係合具９１の周囲における被取付部材１０５の表面１０７が取付孔１１０の周囲における相手側部材１０８の表面１０９に接触される。
【００３５】
次に、図７のｂ図に示すように、人が、操作具９２の摘み１０３を矢印Ｘ１で示す方向に押すことによって、上記突起９９と係合溝１０４との嵌まり合いが解除され、棒本体１００が中心孔９３の内部を奥に進入する。これに伴い、棒本体１００の外周面が、突起９９を中心孔９３の径方向外側に押して、掛止部９６を押し広げる。この中心孔９３の径方向外側に押し広げられた掛止部９６が、取付孔１１０を径方向外側に突っ張るように、取付孔１１０に接触する。これによって、固定具９０が取付孔１１０に押し込まれた形態となり、被取付部材１０５が、相手側部材１０８に、固定具９０で、取り付けられる。
【００３６】
このように被取付部材１０５が、相手側部材１０８に、固定具９０で、取り付けられた状態において、人が、操作具９２の摘み１０３を矢印Ｘ２で示す方向に引くことによって、棒本体１００が中心孔９３の奥から手前に後退する。これに伴い、上記棒本体１００の外周面による突起９９に対する中心孔９３の径方向外側への押し力が弱くなり、掛止部９６が自身の弾性によって径方向内側に復帰し、突起９９が係合溝１０４に嵌まり込み、掛止部９６が取付孔１１０から離れ、図７のａ図の状態になる。これによって、固定具９０と取付孔１１０との係合が解除された形態となり、人が被取付部材１０５を支持して相手側部材１０８から離れる方向に移動すると、固定具９０の装着されたままの被取付部材１０５が相手側部材１０８から取り外される。
【００３７】
図８を参照し、遊技機枠１に取り付けられて使用されることが可能な、ａ図に示す遊技盤２１０、ｂ図に示す遊技盤２５０、ｃ図に示す遊技盤２７０の３種類の構造について説明する。３種類の遊技盤２１０；２５０；２７０は、前後方向の厚さＴ、左右方向の横幅Ｗ、上下方向の高さＨが同じ寸法であって、遊技主体収納室２６に取り付けるための構造も同じである。しかし、ａ図に示す遊技盤２１０が遊技盤２１０の前側から遊技領域２１２の全体を通して画像表示器６７の表示画面６８に表示された画像を遊技者に見せる構造であり、ｂ図に示す遊技盤２５０が遊技盤２５０の前側から遊技領域２１２の一部を通して画像表示器６７の表示画面６８に表示された画像を遊技者に見せる構造であり、ｃ図に示す遊技盤２７０が遊技盤２７０の前側から画像表示器６７の表示画面６８に表示された画像を遊技者に見せない構造である点が相違する。
【００３８】
図８のａ図において、遊技盤２１０の前側の構造について説明する。遊技盤２１０は、非遊技領域を形成する光遮断性合成樹脂からなる周辺飾り構造体２１１と、周辺飾り構造体２１１で囲まれた内側の遊技領域２１２を形成する光透過性合成樹脂からなる板状構造体２１３とを備える。周辺飾り構造体２１１は、遊技主体収納室２６に格納される方形板状の中央に、前後方向に貫通する丸形開口部２１４と、丸形開口部２１４の左側部に前側開放縦溝形状の発射通路２１５とを備える。発射通路２１５の左側面と当該左側面から右側に弧状に延長する丸形開口部２１４の上部弧状側面とには、ステンレスのような金属帯板状の外ガイドレール２１７が、一連に付設される。
【００３９】
発射通路２１５の右側面および当該右側面から右側に弧状に延長する丸形開口部２１４の下部弧状側面は、発射通路２１５の縦形の底部と丸形開口部２１４より前方に突出する内ガイドレール２１６を形成する。内ガイドレール２１６における下部弧状側面の最下部には、アウト口２１８を囲むとともに球を遊技盤２１０の前側から裏側に排出するハートと呼ばれるアウト口部２１９が、内ガイドレール２１６から内側に突出した格好に連接される。内ガイドレール２１６およびアウト口部２１９は、周辺飾り構造体２１１と一緒に合成樹脂により形成される。よって、発射通路２１５以外における外ガイドレール２１７と内ガイドレール２１６とが、遊技領域２１２を囲む丸形開口部２１４である。アウト口部２１９は、遊技領域２１２の最下部に配置される。発射通路２１５は、図２の発射機構４０から発射された球を遊技領域２１２に案内する通路である。
【００４０】
発射機構４０から発射された球を発射通路２１５から遊技領域２１２に放出する発射通路２１５の出口には、戻り球防止弁２２０が、設けられる。戻り球防止弁２２０の取付部は、内ガイドレール２１６の端部に沿うように、周辺飾り構造体２１１に取り付けられる。戻り球防止弁２２０は、外ガイドレール２１７や内ガイドレール２１６よりも厚さの薄い薄帯板状のステンレスまたは合成樹脂により形成される板ばねであって、発射通路２１５から遊技領域２１２に発射され球の遊技領域２１２から発射通路２１５への流入を防止する。周辺飾り構造体２１１の下縁部には、不正防止バンド２２１が、直線的に取り付けられる。不正防止バンド２２１は、弾性の有る合成樹脂で形成されたものであって、図２のパネル枠９が、閉じられることによって、不正防止バンド２２１が前面パネル１３の裏面（遊技盤２１０の側に位置する面）に接触し、遊技者が、ピアノ線や合成樹脂製薄帯板などの不正操作部材を遊技領域２１２よりも下方の図２に示す遊技機枠１の前側から遊技機枠１の前面構成部品間の隙間を経由して遊技領域２１２に挿入しようとした場合、パネルの内側面に接触した不正防止バンド２２１が、不正操作部材を受け止めて不正操作部材の遊技領域２１２への侵入を防止する。
【００４１】
周辺飾り構造体２１１の右側の上下部には、遊技盤２１０を遊技機枠１に固定するための取付部２２２が、設けられる。取付部２２２は、図２の遊技主体収納室２６に設けられた遊技主体ロック部材３３と係合するロック挿入孔２２３を備える。周辺飾り構造体２１１の右側の下部には、証紙台２２４が、前後方向に開閉可能に設けられる。証紙台２２４が、周辺飾り構造体２１１との連結部である図外のヒンジを中心として前方に開かれることによって、下部の取付部２２２が、周辺飾り構造体２１１の前側から見える格好となる。そして、証紙台２２４が上記ヒンジを中心として後方に閉じられて証紙台受部２２５で受け止められると、取付部２２２が証紙台２２４で覆われて周辺飾り構造体２１１の前側から見えなくなる。閉じられた証紙台２２４の前面には、遊技盤２１０の検査に合格して販売の認可を受けたことを示すための図外の証紙が、貼り付けられる。
【００４２】
遊技領域２１２を形成する光透過性合成樹脂からなる板状構造体２１３には、センター飾り２２６、一般入賞部品２２７、作動入賞部品２２８、始動入賞部品２２９、可変入賞部品２３０、遊技釘２３１、風車２３２などの前側部品が、周辺飾り構造体２１１の発射通路２１５を除く丸形開口部２１４で囲まれた光透過性を有する遊技領域２１２に取り付けられる。一般入賞部品２２７は、球を遊技領域２１２から取り込み、当該取り込んだ球を遊技領域２１２の裏側に排出する、取込形である。一般入賞部品２２７の内部には、図外の一般入賞球検出器を備える。作動入賞部品２２８は、球を遊技領域２１２から取り込み、当該取り込んだ球を遊技領域２１２の裏側に取り込むことなく、遊技領域２１２に排出する、通過形である。作動入賞部品２２８の内部には、図外の作動入賞球検出器を備える。始動入賞部品２２９は、左右に開閉する一対の羽根の下部を中心とし、一対の羽根を図外の始動駆動源で左右方向に開閉する電動チューリップと呼ばれる構造である。始動入賞部品２２９は、球を遊技領域２１２から取り込み、当該取り込んだ球を遊技領域２１２の裏側に排出する、取込形である。
【００４３】
始動入賞部品２２９の左右一対の羽根は、閉じた場合でも、球を受け入れ得る形態、受け入れない形態のいずれでも適用できる。始動入賞部品２２９の内部には、図外の始動入賞球検出器を備える。可変入賞部品２３０は、横長な長方形状の開閉体２３３の下部を中心とし、開閉体２３３を図外の可変駆動源で前後方向に開閉するアタッカーまたは大入賞口と呼ばれる構造である。可変入賞部品２３０の開閉体２３３で閉じたり開かれたりする空洞形状の球受入部の内部には、カウントスイッチと呼ばれる図外の普通入賞球検出器と、Ｖスイッチまたは継続スイッチと呼ばれる図外の特定入賞球検出器とを備える。可変入賞部品２３０の球受入部に取り込まれた球は、普通入賞球検出器または特定入賞球検出器を通過した後に遊技盤２１０の裏側に排出される。よって、可変入賞部品２３０は、取込形である。
【００４４】
センター飾り２２６は、光透過性合成樹脂により形成された上方に向けて突出する弧状であって、板状構造体２１３の裏面から図外のタッピングスクリューのような止ねじで板状構造体２１３の前面に取り付けられる。一般入賞部品２２７、作動入賞部品２２８、始動入賞部品２２９、可変入賞部品２３０は、光透過性合成樹脂により形成された部品であって、板状構造体２１３の裏面から図外のタッピングスクリューのような止ねじで板状構造体２１３の前面に取り付けられる。遊技釘２３１は、真鍮で形成された障害釘とも呼ばれる釘であって、板状構造体２１３の前面から内部に打ち込まれる。よって、人が、これらの前側部品を備えた遊技盤２１０を前側から見た場合、遊技領域２１２における一般入賞部品２２７、作動入賞部品２２８、始動入賞部品２２９、可変入賞部品２３０、遊技釘２３１で覆われた以外の部分の裏側を視認することができる。
【００４５】
図８のｂ図に示す遊技盤２５０は、例えばベニヤのような合板からなる、光遮断性を有する方形な板状構造体２５１を備える。板状構造体２５１の前面は、図柄のような定形画の表示された意匠盤面である。板状構造体２５１の意匠盤面に、周辺飾り構造体２１１、内ガイドレール２１６、外ガイドレール２１７、アウト口２１８を囲むアウト口部２１９、証紙台２２４、一般入賞部品２２７、作動入賞部品２２８、始動入賞部品２２９、可変入賞部品２３０、遊技釘２３１、センター飾り２５２などの前側部品が取り付けられる。センター飾り２５２は、板状構造体２５１の意匠盤面に配置される光遮断性合成樹脂からなる前側部分の中央に前後方向に貫通するセンター窓２５３を有し、センター窓２５３がセンター飾り２５２の裏面に固定された光透過性合成樹脂からなるセンターパネル２５４で塞がれ、センターパネル２５４が板状構造体２５１の前後方向に貫通するように形成された図外の逃孔に板状構造体２５１の前側から裏側に向けて挿入される。よって、人が、これらの前側部品を備えた遊技盤２５０を前側から見た場合、遊技領域２１２におけるセンターパネル２５４を通して裏側を視認することができる。
【００４６】
図８のｃ図に示す遊技盤２７０は、板状構造体２５１の意匠盤面に、周辺飾り構造体２１１、内ガイドレール２１６、外ガイドレール２１７、アウト口２１８を囲むアウト口部２１９、証紙台２２４、一般入賞部品２２７、作動入賞部品２２８、始動入賞部品２２９、遊技釘２３１、可変入賞部品２７１などの前側部品が取り付けられる。可変入賞部品２７１は、図８のａ図のセンター飾り２２６や図８のｂ図のセンター飾り２５２に代わって設けられる部品であって、板状構造体２５１の意匠盤面に配置される光遮断性合成樹脂からなる前側部分に、前側に開口しかつ前側から裏側への奥行の有る箱形の球遊動室２７２と、左右に開閉する一対の羽根２７３を有し、球遊動室２７２が板状構造体２５１の前後方向に貫通するように形成された図外の逃孔に板状構造体２５１の前側から裏側に向けて挿入される。よって、人が、これらの前側部品を備えた遊技盤２７０を前側から見た場合、遊技領域２１２を通して裏側を視認することができない。
【００４７】
最良の形態におけるパチンコ機の動作について説明する。図２において、可動枠５に取り付けられた画像表示装置５６が閉じられるとともに、遊技盤２１０の遊技領域２１２が前側に向けられ、遊技盤２１０が遊技機枠１の前側から遊技主体収納室２６に挿入され、遊技盤２１０の下部が遊技主体棚３５の上に載せられ、遊技盤２１０の左側部が遊技主体受部３２と遊技主体押圧部３１との間に挿入されて前後方向から挟まれた後、遊技盤２１０の右側部が作業者によって後側に押され、遊技主体ロック部材３３のロック操作部３４が取付部２２２のロック挿入孔２２３に後側から挿入されて前側に突出した状態において、作業者がロック操作部３４を例えば右方向に９０度回転操作すると、ロック操作部３４がロック挿入孔２２３の周りにおける取付部２２２と係合し、遊技盤２１０が可動枠５に取り付けられる。これによって、図１のｂ図に示すように、画像表示装置５６の前側に遊技盤２１０および球案内体２３４が非接触に配置される。上記画像表示装置５６が閉じられた場合、図３に示す見切り構造体７６の角筒部７８が画像透視開口部２９の内部を通過して遊技盤２１０の裏面に接触するかまたは接触する程度に近づき、作業者が固定具７２を画像表示取付部８６に係合させる。これによって、図１のｂ図に示すように、遊技盤２１０の裏面と画像表示器６７の表示画面６８とが平行な状態で前後に離れている。また、図２に示す遊技盤２１０における一般入賞部品２２７と始動入賞部品２２９の裏側が、図３に示す見切り構造体７６における側部覆部７９と中央覆部８０とで個別に覆い隠される。さらに、図２に示す遊技盤２１０における可変入賞部品２３０および球案内体２３４が、図３に示す見切り構造体７６と遊技主体棚３５および中央開口部２７で囲まれた下部空間に配置される。
【００４８】
そして、図２において、遊技盤２１０が取り付けられた後、球皿構造体１０が閉じられ、可動枠５が閉じられる。その状態において、図３に示す電源装置５７が供給された交流電源を直流電源に変換し、変換した直流電源を発射払出制御装置５８、図２に示す主制御装置６２、複合制御装置６３、表示駆動回路装置６４、図外の図柄制御装置に供給する。これによって、図柄制御装置が主制御装置６２からの指示によって図３に示す画像表示器６７を駆動し、画像表示器６７が電気的に画像を表示画面６８に表示し、遊技機枠１の前側から遊技者が、表示画面６８に映し出された画像を、閉じられた図２のパネル枠９の前面パネル１３と遊技盤２１０の丸形開口部２１４および光透過性合成樹脂からなる板状構造体２１３を通して見ることをできる。
【００４９】
また、遊技者が図２の球皿構造体１０の球受皿部２２に球を入れて発射操作機構２３を操作すると、発射払出制御装置５８が発射機構４０を発射操作機構２３から出力された操作量に応じた発射力で例えば１分間に１から１００発未満までの所定数の間隔で駆動し、発射機構４０が球受皿部２２から発射レール４１に供給された球を１個ずつ遊技盤２１０の発射通路２１５に向けて発射する。この発射通路２１５に発射された球が、発射通路２１５から戻り球防止弁２２０を押し開けて遊技領域２１２に到達した後に遊技領域２１２を流下する過程において、一般入賞部品２２７や始動入賞部品２２９あるいは可変入賞部品２３０に入賞すると、一般入賞部品２２７や始動入賞部品２２９あるいは可変入賞部品２３０に入賞した球が、遊技盤２１０の裏側に排出される一方、それぞれの入賞に対応する賞球としての球が、球払出機構４８から球受皿部２２に払い出される。一般入賞部品２２７や始動入賞部品２２９あるいは可変入賞部品２３０に入賞しないで遊技領域２１２の最下部に流れた球は、アウト口２１８に取り込まれた遊技盤２１０の裏側に排出される。これによって、遊技者は、画像表示器６７の表示画面６８に映し出された画像を遊技領域２１２の全域に見ながら遊技領域２１２に行き交う球の動きを見ることができる。
【００５０】
最良の形態によれば、図３に示すように、縦樋４９における左右方向の横幅が球を一列で上から下に誘導する細い寸法であって、画像表示器６７が１７インチの大きさの表示画面６８を有し、表示画面６８の横幅が遊技盤２１０の左右方向に向けられ、表示画面６８の縦幅が遊技盤２１０の上下方向に向けられた横置きの格好で、表示画面６８が遊技盤２１０の遊技領域２１２と前後方向に対向する。そして、図１に示すように、縦樋４９が発射通路２１５の裏側に配置されている。したがって、画像表示装置５６が遊技領域２１２における中央部の広範囲に対応するので、画像表示装置５６で表示される電気的に表示形態の変えられる画像を遊技者に見せることができるという利点がある。
【００５１】
図８に示す３種類の遊技盤２１０；２５０；２７０における前後方向の厚さＴが、既存のパチンコ機に用いられている遊技盤の厚さと同じ寸法、例えば１９ｍｍに設定されれば、３種類の遊技盤２１０；２５０；２７０に代えて、既存の遊技盤を、図２に示す遊技機枠１に装着して使用することも可能であるという利点がある。このようなことから、最良の形態にあっては、図１のｂ図に示す、画像表示器６７の表示画面６８と遊技盤２１０における遊技領域２１２の存在する意匠盤面との間の寸法Ｄ１が、５個の球を相互に接触させて前後方向に直列に並べた寸法から６個の球を相互に前後方向に接触させて直列に並べた寸法の範囲に設定してある。つまり、１個の球の直径が１１ｍｍであるので、寸法Ｄ１は、１１×５＝５５ｍｍと１１×６＝６６ｍｍとの範囲の寸法である。このように寸法Ｄ１を設定することによって、図８のｃ図に示すような板状構造体２５１の裏面から裏側に突出する部分を有する可変入賞部品２７１の設けられた遊技盤２７０が図１のｂ図に示す遊技機枠１に取り付けられた場合でも、可変入賞部品２７１が画像表示器６７と干渉することがないという利点がある。
【産業上の利用可能性】
【００５２】
図９−図１１は、見切り構造体７６を、画像表示装置５６に取り付けることに代えて、可動枠５の前側から可動枠５に着脱可能に取り付けられる発明を実施するための異なる形態である。図９は、見切り構造体７６および画像表示装置５６の取り付けられた遊技機枠１と遊技盤２１０とを分解した前側からの外観を示す。図１０は、見切り構造体７６と可動枠５とを分解した前側からの外観を示す。図１１は、画像表示装置５６と見切り構造体７６との取り付けられた可動枠５の正面を示す。
【００５３】
図１０に示すように、可動枠５の遊技主体収納構造体８における遊技主体収納室２６の後壁には、前後方向に貫通する見切り係合孔１２０が、中央開口部２７よりも上部の左右に位置して形成される。遊技主体収納構造体８における覆部２８には、固定具取付部１２２が、画像透視開口部２９よりも下部に位置して形成される。見切り構造体７６における角筒部７８の前上部には、支持部１２３が左右に位置して設けられる。支持部１２３は、角筒部７８から上方に延びた縦片部と、縦片部の上端から裏側に向けて突出した横片部と、横片部の後端から下方に折れ曲がった規制片部とを備える。見切り構造体７６における角筒部７８の前下部には、固定具取付部１２４が、左右に位置し、角筒部７８から下方に突出し、設けられる。固定具取付部１２４には、図６の固定具９０に相当する固定具１２５が個別に設けられる。角筒部７８における左右に相対峙する側壁部と側壁部につながる上壁部とが、前側から後側に行くにしたがって角形開口部７７の側に傾斜している。角筒部７８の前上部には、意匠板部１２６が、左右における支持部１２３の間に位置して設けられる。見切り構造体７６からは図４の側部覆部７９が取り除かれている。
【００５４】
そして、少なくとも、パネル枠９が開けられ、図９の遊技盤２１０が未装着の状態におおいて、見切り構造体７６の角筒部７８が遊技主体収納構造体８の前側から画像透視開口部２９に挿入され、支持部１２３の規制片部が見切り係合孔１２０に挿入される。そして、規制片部が見切り係合孔１２０から裏側に突出した後、見切り構造体７６が下方に移動され、支持部１２３の横片部が見切り係合孔１２０の下縁部に接触される。これによって、支持部１２３の縦片部と規制片部とが見切り係合孔１２０の周囲における遊技主体収納構造体８を前後方向で挟む格好となり、見切り構造体７６が支持部１２３で遊技主体収納構造体８に吊り下げられた状態で支持され、固定具取付部１２４が遊技主体収納構造体８における覆部２８の固定具取付部１２２の前側に配置される。その後、固定具１２５が人によって固定具取付部１２２に押し込まれると、見切り構造体７６が遊技主体収納構造体８に取り付けられる（図９参照）。このように見切り構造体７６が遊技主体収納構造体８に前側から取り付けられ、画像表示装置５６が表示側ヒンジ７０および枠側ヒンジ８５からなるヒンジを中心として遊技主体収納構造体８の裏面に対し閉じられた場合、図１に示すように、見切り構造体７６の角筒部７８が画像表示器６７と接触するかまたは接触する程度に近づく。そして、人が、見切り構造体７６の前側から画像表示器６７を見た場合、見切り構造体７６における中央覆部８０で塞がれた角形開口部７７を通して、表示画面６８を見ることができる。
【００５５】
この異なる形態によれば、見切り構造体７６が遊技主体収納構造体８に前側で、遊技主体収納構造体８に取り付けられたり、遊技主体収納構造体８から取り外されたりし得る構造である。よって、図９に示す遊技機枠１がパチンコ店の遊技機設置構造体に取り付けられた状態において、遊技盤２１０が別の種類に交換されることから、見切り構造体７６を上記交換される別の種類の遊技盤２１０に適合する形態の見切り構造体７６に交換する作業が容易である。その理由は、見切り構造体７６を交換する場合、可動枠５を前側に開くことなく、少なくとも、パネル枠９を前側に開き、遊技盤２１０が可動枠５から取り外された状態において、見切り構造体７６を交換することができるからである。
【００５６】
画像表示器６７は液晶表示器に限定されるものではなく、プラズマディスプレイやそれ以外の面状表示器であってもよい。画像表示器６７における表示画面６８の横幅が上下方向に向けられ、画像表示器６７における表示画面６８の縦幅が左右方向に向けられるというように、画像表示器６７が縦置きの格好で遊技主体収納構造体８の裏面に取り付けられれば、縦樋４９の横幅を大きく形成し、当該横幅の大きくなった縦樋４９の内部に球通路５３を縦樋４９の後から見て二列となるように形成することができる。
【図面の簡単な説明】
【００５７】
【図１】ａ図は球払出装置と画像表示装置と遊技盤との配置関係を示す正面図、ｂ図は遊技機枠と縦樋と画像表示装置と遊技盤との配置関係を示す断面図（最良の形態）。
【図２】遊技機枠および遊技盤を前側から示す斜視図（最良の形態）。
【図３】可動枠を裏側から示す斜視図（最良の形態）。
【図４】可動枠と画像表示装置と見切り構造体とを示す分解斜視図（最良の形態）。
【図５】可動枠を示す正面図（最良の形態）。
【図６】ａ図は固定具を示す分解斜視図、ｂ図は固定具の被取付部材への取付構造を示す断面図（最良の形態）。
【図７】ａ図は固定具を相手側部材に挿入した形態を示す断面図、ｂ図は固定具を相手側部材に取り付けた形態を示す断面図（最良の形態）。
【図８】３種類の遊技盤を前側から示す斜視図（最良の形態）。
【図９】遊技機枠と遊技盤とを前側から示す分解斜視図（異なる形態）。
【図１０】可動枠と見切り構造体とを示す分解斜視図（異なる形態）。
【図１１】可動枠を示す正面図（異なる形態）。
【符号の説明】
【００５８】
１      遊技機枠
５      可動枠
８      遊技主体収納構造体
２６    遊技主体収納室
４６    球払出装置
４７    タンク構造体
４８    球払出機構
４９    縦樋
５６    画像表示装置
６７    画像表示器
２１０  遊技盤
【図１】
2006051129.tif 000003
【図２】
2006051129.tif 000004
【図３】
2006051129.tif 000005
【図４】
2006051129.tif 000006
【図５】
2006051129.tif 000007
【図６】
2006051129.tif 000008
【図７】
2006051129.tif 000009
【図８】
2006051129.tif 000010
【図９】
2006051129.tif 000011
【図１０】
2006051129.tif 000012
【図１１】
2006051129.tif 000013